(57)【要約】【課題】  後に人気が出たり話題になった番組をできる限り視聴できるようにする。【解決手段】  チューナ１１はチューナに相当し、ＨＤＤ１４は記録手段に相当し、デマルチプレクサ１２は常時録画制御手段に相当する。Ｓ２００とＳ２０５の処理により、録画される番組の番組情報を取得し、含まれているキーワードを抽出するので、キーワード抽出手段に相当する。Ｓ２１０とＳ２１５の処理により、各番組が含むキーワードに基づいて録画した番組に優先順位を付けており、番組優先順位付加手段に相当する。Ｓ１１０にて、記録日が古いものから削除候補とした後、優先順位に基づいて登録される管理情報を参照し、その結果により、Ｓ１１５にて、削除候補を選択する。従って、優先順位に応じて番組の削除候補を選択する削除候補番組選択手段に相当する。【選択図】  図２
2015211305.tif 000002
【特許請求の範囲】
【請求項１】
複数のチャンネルのテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、
録画される番組の番組情報を取得し、含まれているキーワードを抽出するキーワード抽出手段と、
各番組が含むキーワードに基づいて録画した番組に優先順位を付ける番組優先順位付加手段と、
前記記録手段に含まれる番組の中で、優先順位に応じて番組の削除候補を選択する削除候補番組選択手段とを備えることを特徴とする録画再生装置。
【請求項２】
前記番組優先順位付加手段は、各番組に含まれるキーワードの出現回数を集計して順位付けし、出現回数の高いキーワードを含む番組の優先順位を高くすることを特徴とする請求項１に記載の録画再生装置。
【請求項３】
前記番組優先順位付加手段は、各番組に含まれるキーワードの出現回数の増加率を集計して順位付けし、増加率の高いキーワードを含む番組の優先順位を高くすることを特徴とする請求項１または請求項２に記載の録画再生装置。
【請求項４】
前記番組優先順位付加手段は、前記キーワードと前記増加率とをグラフで表示するとともに、同キーワードを含む番組を表示することを特徴とする請求項３に記載の録画再生装置。
【請求項５】
前記番組優先順位付加手段により優先順位が高い番組を抽出して表示するお勧め番組表示手段を有することを特徴とする請求項１〜請求項４のいずれかに記載の録画再生装置。
【請求項６】
前記削除候補番組選択手段は、優先順位の低い番組を決める複数の判断基準を有し、組み合わせて適用する判断基準の選択を受け付けるとともに、受け付けた判断基準を適用して優先順位の低い番組を削除候補とすることを特徴とする請求項１〜請求項５のいずれかに記載の録画再生装置。
【請求項７】
指定された複数のチャンネルの放送内容をチューナで常時受信して所定の記録領域に録画し、または録画した内容を再生する録画再生方法であって、
録画される番組の番組情報を取得し、含まれているキーワードを抽出する工程と、
各番組が含むキーワードに基づいて録画した番組に優先順位を付ける工程と、
前記記録領域に含まれる番組の中で、優先順位に応じて番組の削除候補を選択する工程とを実施することを特徴とする録画再生方法。
【発明の詳細な説明】
【技術分野】
【０００１】
本発明は、録画再生装置および録画再生方法に関し、特に、常時録画機能を備えた録画再生装置および録画再生方法に関する。
【背景技術】
【０００２】
チャンネルごとに指定して常に録画し続ける機能が利用されてきている。丸録、全録、タイムシフト機能、ループ録画など、各種の呼び名で呼ばれているが、複数のチャンネルの放送内容を常時受信して録画する。
ユーザは、録画操作を気にかけることなく過去の録画された番組を視聴することが可能となる。しかし、録画領域は無尽蔵ではないので、何らかの基準で番組を削除していく必要もある。一般的には、録画領域の残りが一定の量よりも少なくなったら、古い番組から削除する。
【０００３】
また、特許文献として、以下のものが知られている。
特許文献１は、利用者が簡単に、利用者の関心が高い録画番組の削除の禁止を設定することができるデジタル放送受信機及び録画番組の制御方法に関する。図６、図８、および段落００５３には「番組情報からキーワードを抽出する」、段落００５９には「利用者の関心が高い番組分類について、自動的に削除禁止を設定することが可能となる」との開示がある。
【０００４】
特許文献２は、コンテンツデータを外部から取得して再生を行う再生装置において、効率よくキャッシュ処理を行い、コンテンツデータを迅速に再生するコンテンツデータ再生装置およびその制御方法などに関する。図１３および段落０１６３には、「キーワードに関連付けて記憶された出現頻度および放送回数に基づいて、当該キーワードの嗜好度が更新」、段落０１８８には、「削除対象選択部２０４が、嗜好度の低い順に基づいて、削除すべき番組データを選択できるような情報を提供する」との開示がある。
【０００５】
特許文献３は、ユーザの満足度を向上させるように放送番組の録画を制御することができるようにする情報処理装置および方法、並びにプログラムに関する。図３および段落００８７〜００８８には、「自動録画に利用するキーワードとして使用する流行語の絞り込みを行う・・・流行語集積サーバ１０４より取得される流行語は、例えば出現頻度等」、段落０１０６には、「解析結果に基づいて、不要とされる予約候補を予約候補リストから削除」との開示がある。
【０００６】
特許文献４は、視聴者の欲する番組を重複録画することなく自動録画するとともに、嗜好度に応じて適切な録画予約制御を可能とする番組録画再生装置に関する。図３および段落００２３には「例えば１１／２６日の８チャンネル１９時からの番組「ＡＡＡ」では、ジャンルが映画なので５点、チャンネルが８なので５点、曜日が火曜なので１点、時間が９時からなので３点、５点に設定された出演者がいるので５点、５点に設定されたキーワードがあるので５点となり、合計嗜好度数が２２点となる」との開示がある。
【先行技術文献】
【特許文献】
【０００７】
【特許文献１】特開２０１１−１６０１４８号公報
【特許文献２】特開２００９−１３０６４５号公報
【特許文献３】特開２００８−２３６１５５号公報
【特許文献４】特開２００６−０８０９７４号公報
【発明の概要】
【発明が解決しようとする課題】
【０００８】
常時録画では、録画先であるＨＤＤ等の容量がいっぱいになると古い番組から削除していくため、後に世間で話題となった番組や徐々に人気が出てきている番組であっても消してしまう。
一方、ユーザの嗜好を表すキーワードを特定しておいた上で、自動録画予約したり嗜好度の低いものを削除するものが知られている。しかし、ユーザ自身が気にしていなかったものの、後に人気が出たり話題になったものは、このようなキーワードで判別することはできない。従って、ユーザ自身が知らなかった話題に関しては、後に世間で話題となった番組や徐々に人気が出てきている番組であっても知る術はなく、自動録画予約もできない。
【０００９】
本発明は、後に人気が出たり話題になった番組をできる限り視聴できるようにする。
【課題を解決するための手段】
【００１０】
本発明は、複数のチャンネルのテレビ放送を個別に受信するチューナと、テレビ放送の内容をＨＤＤに記録再生する記録手段と、指定された複数のチャンネルの放送内容を前記チューナで常時受信して前記記録手段で録画させる常時録画制御手段と、録画される番組の番組情報を取得し、含まれているキーワードを抽出するキーワード抽出手段と、各番組が含むキーワードに基づいて録画した番組に優先順位を付ける番組優先順位付加手段と、前記記録手段に含まれる番組の中で、優先順位に応じて番組の削除候補を選択する削除候補番組選択手段とを備える構成としてある。
【００１１】
前記構成において、常時録画制御手段による制御のもとで、指定された複数のチャンネルの放送内容を前記チューナで常時受信して前記記録手段で録画させる。番組が録画されている状況で、キーワード抽出手段は、録画される番組の番組情報を取得し、含まれているキーワードを抽出する。すると、番組優先順位付加手段は各番組が含むキーワードに基づいて録画した番組に優先順位を付けるので、削除候補番組選択手段が前記記録手段に含まれる番組の中で、優先順位に応じて番組の削除候補を選択する。
【００１２】
本発明の他の態様として、前記番組優先順位付加手段は、各番組に含まれるキーワードの出現回数を集計して順位付けし、出現回数の高いキーワードを含む番組の優先順位を高くする構成としても良い。
本発明の他の態様として、前記番組優先順位付加手段は、各番組に含まれるキーワードの出現回数の増加率を集計して順位付けし、増加率の高いキーワードを含む番組の優先順位を高くする構成としても良い。
【００１３】
本発明の他の態様として、前記番組優先順位付加手段は、前記キーワードと前記増加率とをグラフで表示するとともに、同キーワードを含む番組を表示する構成としても良い。
本発明の他の態様として、優先順位が高い番組を抽出して表示するお勧め番組表示手段を有する構成としても良い。
前記構成において、お勧め番組表示手段が優先順位が高い番組を抽出して表示する。優先順位が高い番組は、多くの番組に共通して含まれているキーワードを備えているものであり、話題となっている内容を含んでいるので、いわゆるお勧め番組であり、これをユーザに表示する。
【００１４】
本発明の他の態様として、前記削除候補番組選択手段は、優先順位の低い番組を決める複数の判断基準を有し、組み合わせて適用する判断基準の選択を受け付けるとともに、受け付けた判断基準を適用して優先順位の低い番組を削除候補とする構成としても良い。
削除候補を増やすことで、削除できない番組が増えると、新たな番組を録画できなくなる可能性もある。また、優先順位の付け方は人それぞれであるから、全てを自動的に行うと、ユーザの使い勝手を悪くする。このため、前記削除候補番組選択手段は、優先順位の低い番組を決める複数の判断基準を有するものとする。そして、組み合わせて適用する判断基準の選択をユーザから受け付け、受け付けた判断基準を適用して優先順位の低い番組を削除候補とする。
【００１５】
なお、本発明は、録画再生装置として実現されるのみならず、方法として実現することも可能であり、その意味で録画再生方法として利用することもできる。より具体的には、指定された複数のチャンネルの放送内容をチューナで常時受信して所定の記録領域に録画し、または録画した内容を再生する録画再生方法であって、録画される番組の番組情報を取得し、含まれているキーワードを抽出する工程と、各番組が含むキーワードに基づいて録画した番組に優先順位を付ける工程と、前記記録領域に録画されている番組の中で、優先順位の低い番組を削除候補とする工程とを実施する。
【発明の効果】
【００１６】
本発明によれば、普段から特に意識することなく常時録画した番組の中で、後に人気が出たり話題になった番組を削除候補から外すようにするため、できる限り視聴できるようにすることができる。
【図面の簡単な説明】
【００１７】
【図１】本発明の録画再生装置のブロック図である。
【図２】録画再生装置の処理手順の第一のメインフローチャートである。
【図３】録画再生装置の処理手順のサブフローチャートである。
【図４】録画再生装置で録画済みの番組を表示する過去番組表を示す図である。
【図５】キーワードと番組名とを対応させたテーブルを示す図である。
【図６】キーワードに基づくランキングを示す図である。
【図７】録画再生装置の処理手順の第二のメインフローチャートである。
【図８】お勧め番組を表示するためにキーワードを選択する画面を示す図である。
【図９】録画再生装置が実施するお勧め番組表示処理のフローチャートである。
【図１０】お勧め番組を表示する画面を示す図である。
【図１１】キーワードの増加率と番組名を表示する画面を示す図である。
【図１２】録画再生装置が実施する増加率ランクを表示する処理手順のフローチャートである。
【発明を実施するための形態】
【００１８】
（第一実施例）
図１は、本発明の一実施形態にかかる録画再生装置をブロック図により示している。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に六つのテレビ放送を受信できる。各チューナ１１で受信して復調されエラー処理まで行われた復調信号はそれぞれ個別にデマルチプレクサ１２に入力されている。なお、図示していないがチューナ１１には復調器を含むものとする。
【００１９】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。マルチプレクサ１３は、テレビ放送の内容の記録に加え、番組情報１４ａや、キーワードと番組名とを関連づけて記憶するテーブル１４ｂや、番組名の編集などに使用する日本語変換辞書１４ｃや、キーワードに基づくランキングを示すテーブル１４ｄもＨＤＤ１４に記録させている。
【００２０】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。また、デコードされた音声信号はアンプ１８で増幅されてスピーカ１９から音声として出力される。
【００２１】
本録画再生装置１０に対する操作指示は、操作パネル２１を介してデマルチプレクサ１２が取得し、所定の制御に反映させる。また、リモコン２２を介する操作指示も同様に取得可能となっている。
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。
【００２２】
なお、本実施例では、タイムシフト機能で録画された番組は、記録手段としてのＨＤＤ１４に記録されるが、指定された領域がいっぱいになると、順次古い番組から自動的に削除していく。この意味で、自動削除される領域については短期的録画領域と呼ぶこともある。指定された領域以外については、このような自動削除は行われず、ユーザからの明示の指示があったときにだけ削除する。この意味で、自動削除されない領域については永久録画領域と呼ぶこともある。
【００２３】
図２は、録画再生装置の処理手順の第一のメインフローチャートであり、図３は、サブフローチャートである。
常時録画をしている場合、一般には再生以外の処理を常時録画と並行すると処理の負担が大きくなりすぎるので好ましくない。このため、常時録画の場合に、通常、一日に一度、行われるシステムメンテナンス中に、削除候補を選択する処理を実施する。
【００２４】
ＣＰＵは、メンテナンス作業に入ると、ステップＳ１００にて、録画先のＨＤＤ１４の容量不足か判断する。常時録画のために常時録画領域を設けてあり、一定の容量を超えた場合には古い番組から削除していくのが基本である。また、ＨＤＤ１４には、常時録画以外に、手動で予約録画して録画することも可能であり、この場合は自動削除の対象とはならない。ステップＳ１００では、デフォルト値、あるいは設定メニューでユーザが選択した常時録画のための容量を使用し尽くしたか否かを判断する。
【００２５】
容量不足と判断されたら、ＣＰＵは、ステップＳ１０５にて、図３に示すサブフローチャートを実行し、キーワード管理情報を更新する。
このキーワード管理情報更新処理では、ＣＰＵは、ステップＳ２００にて、録画済みの番組を検索し、ステップＳ２０５にて、録画済み番組の番組情報からキーワードを抽出する。
録画済みの番組とは、前回、ＨＤＤ１４の容量不足と判断された後から今回のメンテナンスの実行までの間に録画された番組を指す。それ以前のものについては、既にキーワードを抽出済みだからである。ステップＳ２０５では、録画済み番組に対してＨＤＤ１４に保存されている番組情報１４ａを読み出し、含まれているキーワードを抽出する。本実施例においては、番組情報に含まれている名詞をキーワードとして抽出する。本録画再生装置１０には、日本語変換辞書１４ｃが含まれており、番組情報に含まれている文言の中から名詞の語句を選択して抽出する。抽出したキーワードは、テーブル１４ｂに番組名と対応づけて記憶する。なお、番組情報に同じキーワードが複数含まれているとしても、一つだけを抽出する。
なお、ステップＳ２００とステップＳ２０５の処理により、録画される番組の番組情報を取得し、含まれているキーワードを抽出するので、キーワード抽出手段を構成している。
【００２６】
図４は、録画再生装置で録画済みの番組を表示する過去番組表を示す図であり、図５は、キーワードと番組名とを対応させたテーブルを示す図である。
録画済みの番組はＨＤＤ１４に記憶されていき、録画済みの番組を再生する際に録画済番組表を表示させることができる。録画済番組表は、図４に示すように、通常の番組表と同様、左右方向にチャンネルが並び、上下方向に時間順に並べた升目に、チャンネルと放送時間毎に録画済み番組のタイトルを表示する。表示内容は特に限定されるものではなく、余白があれば番組情報の一部を表示することなども可能である。
【００２７】
テーブル１４ｂは、番組名と、その番組情報から抽出したキーワードとを対応づけた内容となっている。このテーブル１４ｂは、常時録画された番組が削除されるまで各番組の情報を保持している。また、削除された時点で、番組名とキーワードを削除する。
キーワードを抽出してテーブル１４ｂを更新したら、ＣＰＵは、ステップＳ２１０にて、ランキングの更新を行なう。ランキングの更新は、テーブル１４ｂの中に含まれるキーワードごとに出現回数を集計し、出現回数に基づいて順位付けを付ける作業である。
【００２８】
図６は、キーワードに基づくランキングを示す図である。同図に示すテーブル１４ｄは、左から順に、個数ランク、上昇率ランク、キーワード、出現回数、出現番組の番組情報へのリンク、その他、・・の各項目が用意され、それぞれについて該当する内容が記録される。なお、個数ランク（出現回数のランク）と、上昇率ランク（増加率のランク）は、一致するとは限らない。本実施例では、個数ランク１００位までのキーワードでテーブル１４ｄを形成し、１００位以内のキーワードについては、上昇率を求め、その順位付けをしてテーブル１４ｄの項目を埋めている。このように、各番組に含まれるキーワードの出現回数を集計して順位付けする。順位付けにより、出現回数の高いキーワードを含む番組の優先順位は高くなる。
【００２９】
上昇率は、例えば、過去平均１週間での上昇率などを計算する。むろん、集計対象は１週間でなく、３日間とするなど、適宜変更可能である。このように、各番組に含まれるキーワードの出現回数の増加率を集計して順位付けしている。そして、増加率の高いキーワードを含む番組の優先順位を高くなる。
出現番組の番組情報へのリンクは、各キーワードが含まれている番組の番組情報１４ａとを対応づける情報である。キーワードの出現回数だけリンクが記録される。
【００３０】
ここで、出現回数の多いキーワードは時事の流行語や人気俳優等であると推測できる。従って、出現回数が上位のランキングにあるキーワードを含む番組は世間で人気の番組や注目されている番組と推測できるので保存処理を行い、古い番組であっても消さず、ランキングにない番組から削除する。
また、出現回数が急速に増加しているキーワードを含む番組は、話題となっている内容を含む番組なので保存処理を行い、古い番組であっても消さない。ランキングから消えた時点で削除すればよい。
【００３１】
次に、ＣＰＵは、ステップＳ２１５にて、ランキングの上位の番組を管理情報に登録する。管理情報は、録画日時が古いものでも、ランキングは上位であるので、削除候補から外す番組を登録している情報である。ただし、必ず削除候補でなくなるというものではない。上述したように、ランキングのテーブル１４ｄは個数ランキングの上位１００位までに限定しており、この１００位をもってして管理情報としても良いが、より対象を狭めることも可能なように管理情報を使用する。また、出現回数を優先して削除候補から除外したり、上昇率を優先して削除候補から除外したりすることも、管理情報へ登録する内容を変えれば可能となる。このように管理情報への登録により、キーワード管理情報更新処理を終了する。
なお、ステップＳ２１０とステップＳ２１５の処理により、各番組が含むキーワードに基づいて録画した番組に優先順位を付けており、番組優先順位付加手段に相当する。なお、優先順位は単にランキングだけを意味するのではなく、上述したように管理情報に登録されるか否かという区分け自体をも含んでいる。
【００３２】
キーワード管理情報更新処理を終了すると、ＣＰＵは、メインのフローチャートの処理に戻り、まず、ステップＳ１１０にて、記録日が最も古い番組を自動削除予定番組にする。この時点では、予定の候補にするだけである。次に、ＣＰＵは、ステップＳ１１５にて、この自動削除予定番組が上述した管理情報に存在するかを判断する。ステップＳ１１０にて自動削除予定番組とされたとしても、キーワードに関してランキングが上位であると管理情報に登録されている場合があり、登録されているのであれば、ステップＳ１２０にて、次に古い番組を自動削除予定番組にする。すなわち、先に自動削除予定番組とされていた番組が削除候補から外れる。
ステップＳ１１０にて、記録日が古いものから削除候補とした後、優先順位に基づいて登録される管理情報を参照し、その結果により、ステップＳ１１５にて、削除候補を選択する。従って、ステップＳ１１５の処理は、優先順位に応じて番組の削除候補を選択する削除候補番組選択手段に相当する。
【００３３】
ステップＳ１２０にて、次に古い番組を自動削除予定番組にすることで、通常であれば、ステップＳ１２５にて、自動削除予定番組が存在するものと判断され、再度、ステップＳ１１５にて、この自動削除予定番組が上述した管理情報に存在するかを判断するという処理を繰り返す。この繰り返しの処理により、古い番組であっても、管理情報に登録されているものは、削除候補から外されていき、管理情報に存在しない番組が自動削除予定番組となったときに、ＣＰＵは、ステップＳ１３５にて、その自動削除予定番組を削除する。
【００３４】
一方、ステップＳ１１０にて、記録日が最も古い番組として自動削除予定番組とされた後、ステップＳ１１５にて、管理情報に存在しないと判断されることもある。この場合も、最も古いものから順に削除するという基本的なルールに従い、ＣＰＵは、ステップＳ１３５にて、その自動削除予定番組を削除する。
また、管理情報に登録されていることで次に古い番組を自動削除予定番組にしていく場合、何らかの事情で次に古い番組が見つからない場合もあり得るが、その場合でもＨＤＤ１４の容量不足である事情は解消されていないので、ＣＰＵは、ステップＳ１３０にて、最もランクの低いキーワードとリンクされている番組を削除する。古いもの順で削除候補を決定できない状況であるから、人気の低そうな番組としてキーワードによるランクが低いものを削除する。
【００３５】
番組を削除したら、ステップＳ１００にて、再度、ＨＤＤ１４の容量不足であるか判断する。一つの番組を削除しても、容量不足が解消するとは限らないからである。そして、容量不足が解消していれば、終了するが、解消していなければ、上述した処理を繰り返す。
【００３６】
（第二実施例）
上述した実施例では、管理情報に登録されていれば古くなった番組も自動的に削除されない。従って、ユーザが自分自身で削除する操作を行う必要がある。しかし、このようにすると、不在の期間が長くなってくると常時録画するための容量が減っていくことになりかねない。
第二実施例では、管理情報に登録されたとしても、所定の基準で削除していく。
図７は、録画再生装置の処理手順の第二のメインフローチャートである。
ＣＰＵは、ステップＳ３００にて、録画先であるＨＤＤ１４の常時録画領域の容量不足が生じているか判断する。この場合、後述する待避常時録画領域分を除いた容量を判断する。容量不足が生じていれば、ステップＳ３０５にて、図３に示すキーワード管理情報更新処理を実施する。この処理により、上述したように出現回数によるランキングと増加率によるランキングが更新され、さらに上位の番組が管理情報に登録される。
【００３７】
次に、ＣＰＵは、ステップＳ３１０にて、記録日時の古い順に番組をソートしておき、ステップＳ３１５にて、記録日が最も古い番組を自動削除予定番組にした後、ステップＳ３２０にて、この自動削除予定番組が管理情報に存在するか判断する。管理情報に登録されていれば、一応は、削除候補から除外すべく、ＣＰＵは、ステップＳ３２５にて、この自動削除予定番組を待避常時録画領域に移動する。これは擬似的移動であり、ＣＰＵが管理上、移動するにすぎない。ＨＤＤ１４内で現実に移動させると、ダビングとみなされることがあるからである。待避常時録画領域は、常時録画領域ではあるが、単純に古いものから順に自動的に削除する対象からは外されている。言い換えると、常時録画領域は、待避常時録画領域とそれ以外の領域とから構成されている。
【００３８】
その後、ステップＳ３２７にて、自動削除の候補を次に古い番組に交代させていくので、管理情報に登録されていない番組が自動削除予定番組となったところで、ＣＰＵは、ステップＳ３３５にて、自動削除予定番組を削除する。なお、ステップＳ３３０では、ステップＳ１２５と同様に、自動削除予定番組が存在するか判断し、存在しない場合は、ステップＳ３５０にて、最もランクの低いキーワードとリンクされている番組を削除する。
【００３９】
上述したように、記録日時の古い番組は管理情報に登録されていれば削除候補から外されるが、そのまま保存され続けるとＨＤＤ１４の容量不足を招くので、ＣＰＵは、ステップＳ３４０にて、録画先の待避常時録画領域の容量を集計し、所定のしきい値を超えているようであれば、容量不足と判断する。
待避常時録画領域の容量不足と判断されると、ＣＰＵは、ステップＳ３４５にて、待避常時録画領域内の番組をランキングでソートし、ステップＳ３５５にて、最もランクの低い番組を削除する。すなわち、一旦は削除候補から除外するが、そのように除外する番組の総容量にも制限を設けておき、その容量を超えた場合は、自動削除から免れた番組の範囲内でランキングの低いものから削除することで、総容量に制限を設けている。
【００４０】
（第三実施例）
上述した実施例は、キーワードのランキングに基づいて削除候補を選択している。
本実施例では、キーワードのランキングを削除候補の選択以外に使用する。
図８は、お勧め番組を表示するためにキーワードを選択する画面を示す図であり、図９は、録画再生装置が実施するお勧め番組表示処理のフローチャートであり、図１０は、お勧め番組を表示する画面を示す図である。
【００４１】
本録画再生装置１０は、リモコン２２の操作を受け付けてメニューを表示することが可能であり、このメニューの表示からお勧め番組の表示を選択することができる。ＣＰＵは、ステップＳ４００にて、お勧め番組の表示が選択されたと判断すると、ステップＳ４０５にて、図６に示すテーブル１４ｄを参照し、キーワードランキングを表示する。
ユーザはリモコンを操作していずれかのキーワード選択することが可能であり、選択操作をすると、ＣＰＵは、ステップＳ４１０にて、選択を受け付けたものと判断し、ステップＳ４１５にて、図１０に示すように、選択されたキーワードを含む番組を表示する。
【００４２】
ユーザは、図１０に示す画面を見ながらリモコン２２を操作していずれかの番組を選択する。すると、ＣＰＵは、ステップＳ４２０にて、選択を受け付けたものと判断し、ステップＳ４２５にて、選択された番組を再生する。すなわち、デマルチプレクサ１２がＨＤＤ１４から番組のデータを直に読み出し、デコーダ１５にて映像信号と音声信号とに分離してデコードするので、デコードされた映像信号と音声信号に基づいて映像と音声を出力する。
【００４３】
このようにして、優先順位が高いキーワードを選択することで、優先順位が高い番組を抽出して表示し、選択して再生することができる。従って、優先順位が高い番組を抽出してお勧め番組として表示するので、お勧め番組表示手段に相当する。
このように、再生おすすめ機能としてキーワードをユーザに提示し、選択したキーワードを含む番組を一覧表示することで人気や話題の番組を選択して視聴することができる。こうすることで過去番組表から番組名をもとに見たい番組を探す手間を省く。例えば、残しておく番組は過去番組表には表示しないようにしてもよい。
【００４４】
（第四実施例）
図１１は、キーワードの増加率と番組名を表示する画面を示す図であり、図１２は、録画再生装置が実施する増加率ランクを表示する処理手順のフローチャートである。
本録画再生装置１０では、メニューの表示から増加率ランキングの表示を選択することができる。ＣＰＵは、ステップＳ５００にて、増加率ランクの表示が選択されたと判断すると、ステップＳ５０５にて、キーワードの増加率のランキングでテーブル１４ｄをソートする。言い換えると増加率の高いものから順に番組をソートする。
【００４５】
また、ＣＰＵは、ステップＳ５１０にて、現在から過去に向かって時系列で出現回数を集計する。キーワードの増加率の高いキーワードとして、例えば、上位５位〜１０位程度を選定し、そのキーワードが現在から過去に向かっていつの時点でいくつ出現しているかを集計する。キーワード毎に、縦軸に過去に向かう時間軸とし、横軸に出現回数をまとめたテーブルを作成することに相当する。そして、ステップＳ５１５では、このテーブルを参照し、図１２に示すように、現在から過去に向かって時系列で出現回数をグラフ表示する。
【００４６】
また、ステップＳ５２０にて、ＣＰＵは、増加率のランキングに対応してそのキーワードを含む番組を表示する。ユーザは、この時点でキーワードの増加率を見つつ、各キーワードを含む番組名を見てリモコン２２でいずれかを選択する。ＣＰＵは、ステップＳ５２５にて、選択を受け付けたと判断すると、ステップＳ５３０にて、選択された番組を再生する。
このようにして、キーワードと増加率とをグラフで表示するとともに、同キーワードを含む番組を表示している。
上昇率ランクをグラフ表示することで、話題のキーワードが含まれる番組やきっかけとなった番組が確認できる。
【００４７】
（第五実施例）
上述したように、ランキングに入っている番組が多くなってくると、ＨＤＤ１４の容量の問題が出る可能性がある。例えば、「オリンピック」がキーワードになっていた場合、オリンピックの開催期間中は、番組数が多くなり、放送時間も長くなる。このような場合、オリンピックのキーワードを含む番組が削除されないのでＨＤＤ１４にたまっていくからである。
【００４８】
従って、ＨＤＤ１４の残量がない場合は、ランキングに入っていても以下のような条件で消す番組の優先順位を付けて削除するようにしてもよい。
・ランキングに関係なく古い番組から消す。
・個数ランキングや上昇率ランキングの下位のもの、かつその中でも最も古い番組から消していく。
・キーワードが始めて出た番組は、人気が出るきっかけとなった番組である可能性があるので残しておく。
・上昇率ランクが高い番組は急上昇したポイントの前後で消すか残すか決める。
・管理しているキーワードの順位数を減らしてランキング外の番組を増やす。
むろん、これらの条件をユーザ設定項目で選択できるようにしてもよい。
すなわち、優先順位の低い番組を決める複数の判断基準を有し、組み合わせて適用する。この場合、ユーザの操作による判断基準の選択を受け付けるとともに、受け付けた判断基準を適用して優先順位の低い番組を削除候補とすればよい。
【００４９】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５０】
１１…チューナ、１２…デマルチプレクサ、１３…マルチプレクサ、１４…ＨＤＤ、１４ａ…番組情報、１４ｂ…テーブル、１４ｃ…日本語変換辞書、１４ｄ…テーブル、１５…デコーダ、１６…ドライバー、１７…ディスプレイパネル、１８…アンプ、１９…スピーカ、２１…操作パネル、２２…リモコン。
【図１】
2015211305.tif 000003
【図２】
2015211305.tif 000004
【図３】
2015211305.tif 000005
【図４】
2015211305.tif 000006
【図５】
2015211305.tif 000007
【図６】
2015211305.tif 000008
【図７】
2015211305.tif 000009
【図８】
2015211305.tif 000010
【図９】
2015211305.tif 000011
【図１０】
2015211305.tif 000012
【図１１】
2015211305.tif 000013
【図１２】
2015211305.tif 000014